【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
コンテンツ配信ネットワーク（ＣＤＮ）で動作可能な、コンピュータにより実施される方法であって、
前記ＣＤＮにおけるノードにより、
（Ａ）コンテンツについてのリクエストを受信する段階と、
（Ｂ）前記リクエストについての情報を判断する段階と、
（Ｃ）（Ｂ）での前記判断に基づいて、
（Ｃ）（１）前記コンテンツについての十分な情報が判断された場合、前記リクエストを処理する適切なコンテンツ配信（ＣＤ）サービスに前記リクエストを割り当て、
（Ｃ）（２）前記コンテンツについての不十分な情報が判断された場合、前記リクエストを処理する包括的ＣＤサービスに前記リクエストを割り当てる段階と、
（Ｄ）（Ｃ）（２）において前記リクエストが前記包括的ＣＤサービスに割り当てられた場合には、前記包括的ＣＤサービスは、
（Ｄ）（１）前記リクエストを処理し、かつ
（Ｄ）（２）前記コンテンツについての更新済み情報を提供する段階と
を備える方法。
【請求項２】
前記受信されたリクエストは、オリジンサーバに格納されたコンテンツのためのものであり、前記リクエストについての情報を判断する前記段階は、前記コンテンツについての情報を判断することの試みを含み、前記判断に基づいて（Ｃ）を実行する前記段階は、（Ｂ）での判断の試みに基づき、
（Ｃ）（１）は、前記コンテンツについての十分な情報が判断されるとき、前記適切なＣＤサービスが前記リクエストを処理することを判断し、前記割り当ては、前記リクエストを処理する前記判断された適切なＣＤサービスに前記リクエストを割り当て、十分な情報は、少なくとも前記コンテンツのサイズを含み、前記適切なＣＤサービスは、前記ＣＤＮにおける異なるノードを含み、
前記不十分なコンテンツは前記コンテンツのサイズを欠き、
前記コンテンツについての前記更新済み情報は、前記コンテンツのサイズを含む、
請求項１に記載のコンピュータにより実施される方法。
【請求項３】
前記適切なＣＤサービスおよび前記包括的ＣＤサービスは、ＣＤサービスのキャッシングから選択される、請求項１または２に記載の方法。
【請求項４】
前記リクエストは、リソースについてのＨＴＴＰリクエストである、請求項１から３のいずれか一項に記載の方法。
【請求項５】
前記コンテンツについての前記十分な情報は、前記コンテンツのサイズを含む、請求項１から４のいずれか一項に記載の方法。
【請求項６】
前記リクエストは、ＵＲＩまたはＵＲＬを含み、（Ｂ）において前記リクエストについての情報を判断する前記段階は、前記ＵＲＬから前記リクエストに関連付けられている前記コンテンツについての前記情報へのマッピングにアクセスする段階を有する、請求項１から５のいずれか一項に記載の方法。
【請求項７】
前記ＵＲＬは、特定のリソースに対応し、前記特定のリソースについての前記情報は、前記特定のリソースのサイズを含む、請求項６に記載の方法。
【請求項８】
（Ｄ）（２）において前記コンテンツについての更新済み情報を提供する前記段階は、前記マッピングを更新する段階を有する、請求項６または７に記載の方法。
【請求項９】
前記マッピングは、１または複数のデータベースに保持される、請求項６から８のいずれか一項に記載の方法。
【請求項１０】
（Ｅ）（Ｃ）（１）において前記リクエストが前記適切なＣＤサービスに割り当てられた場合には、前記適切なＣＤサービスは、
（Ｅ）（１）前記リクエストを処理し、かつ
（Ｅ）（２）前記コンテンツについての更新済み情報を提供する段階
をさらに備える、請求項１から９のいずれか一項に記載の方法。
【請求項１１】
コンテンツ配信ネットワーク（ＣＤＮ）において動作可能な、コンピュータにより実施される方法であって、
前記ＣＤＮにおけるノードにより、
（Ａ）コンテンツについてのリクエストを受信する段階と、
（Ｂ）前記コンテンツのカテゴリを判断する段階と、
（Ｃ）（Ｂ）での前記判断に基づいて、
（Ｃ）（１）前記コンテンツの前記カテゴリが判断された場合、前記コンテンツの前記カテゴリに基づいて、前記リクエストを処理する適切なコンテンツ配信（ＣＤ）サービスに前記リクエストを割り当て、
（Ｃ）（２）前記コンテンツの前記カテゴリが判断されなかった場合、前記リクエストを処理する包括的ＣＤサービスに前記リクエストを割り当てる段階と、
（Ｄ）（Ｃ）（２）において前記リクエストが前記包括的ＣＤサービスに割り当てられた場合には、前記包括的ＣＤサービスは、
（Ｄ）（１）前記リクエストを処理し、かつ
（Ｄ）（２）前記コンテンツの前記カテゴリを提供する段階と
を備える方法。
【請求項１２】
前記受信されたリクエストは、オリジンサーバに格納されたコンテンツのためのものであり、前記カテゴリを判断する前記段階は、前記カテゴリを判断することの試みを含み、前記判断に基づいて（Ｃ）を実行する前記段階は、（Ｂ）での判断の試みに基づき、
（Ｃ）（１）は、前記コンテンツのカテゴリが判断されるとき、前記適切なＣＤサービスが前記リクエストを処理することを判断し、前記割り当ては、前記コンテンツのカテゴリに基づいて、前記リクエストを処理する前記判断された適切なＣＤサービスに前記リクエストを割り当て、前記適切なＣＤサービスは、前記ＣＤＮにおける異なるノードを含む、
請求項１１に記載のコンピュータにより実施される方法。
【請求項１３】
前記コンテンツの前記カテゴリは、前記コンテンツのサイズに基づく、請求項１１または１２に記載の方法。
【請求項１４】
前記リクエストはＨＴＴＰリクエストであり、前記コンテンツは１または複数のリソースを含む、請求項１１から１３のいずれか一項に記載の方法。
【請求項１５】
プログラムであって、
コンテンツ配信サービス（ＣＤＮ）において動作可能なコンピュータに、
（Ａ）コンテンツについてのリクエストを受信する段階と、
（Ｂ）前記リクエストについての情報を判断する段階と、
（Ｃ）（Ｂ）での前記判断に基づいて、
（Ｃ）（１）前記コンテンツについての十分な情報が判断された場合、前記リクエストを処理する適切なコンテンツ配信（ＣＤ）サービスに前記リクエストを割り当て、
（Ｃ）（２）前記コンテンツについての不十分な情報が判断された場合、前記リクエストを処理する包括的ＣＤサービスに前記リクエストを割り当てる段階と、
（Ｄ）（Ｃ）（２）において前記リクエストが前記包括的ＣＤサービスに割り当てられた場合には、前記包括的ＣＤサービスは、
（Ｄ）（１）前記リクエストを処理し、かつ
（Ｄ）（２）前記コンテンツについての更新済み情報を提供する段階と
を実行させるプログラム。
【請求項１６】
前記リクエストについての判断された前記情報は、前記コンテンツについての情報であり、
（Ｃ）（１）は、前記コンテンツについての十分な情報が判断されるとき、前記適切なＣＤサービスが前記リクエストを処理することを判断し、前記割り当ては、前記リクエストを処理する前記判断された適切なＣＤサービスに前記リクエストを割り当て、十分な情報は、少なくとも前記コンテンツのサイズを含み、前記適切なＣＤサービスは、前記ＣＤＮにおける異なるノードを含み、
前記不十分なコンテンツは前記コンテンツのサイズを欠き、
前記コンテンツについての前記更新済み情報は、前記コンテンツのサイズを含む、
請求項１５に記載のプログラム。
【請求項１７】
前記適切なＣＤサービスおよび前記包括的ＣＤサービスは、ＣＤサービスのキャッシングから選択される、請求項１５または１６に記載のプログラム。
【請求項１８】
前記リクエストは、リソースについてのＨＴＴＰリクエストである、請求項１５から１７のいずれか一項に記載のプログラム。
【請求項１９】
前記コンテンツについての前記十分な情報は、前記コンテンツのサイズを含む、請求項１５から１８のいずれか一項に記載のプログラム。
【請求項２０】
前記リクエストは、ＵＲＩまたはＵＲＬを含み、（Ｂ）において前記リクエストについての前記情報を判断する前記段階は、前記ＵＲＬから前記リクエストに関連付けられている前記コンテンツについての前記情報へのマッピングにアクセスする段階を有する、請求項１５から１９のいずれか一項に記載のプログラム。
【請求項２１】
前記ＵＲＬは、特定のリソースに対応し、前記特定のリソースについての前記情報は、前記特定のリソースのサイズを含む、請求項２０に記載のプログラム。
【請求項２２】
（Ｄ）（２）において前記コンテンツについての更新済み情報を提供する前記段階は、前記マッピングを更新する段階を有する、請求項２０または２１に記載のプログラム。
【請求項２３】
前記マッピングは、１または複数のデータベースに保持される、請求項２０から２２のいずれか一項に記載のプログラム。
【請求項２４】
（Ｅ）（Ｃ）（１）において前記リクエストが前記適切なＣＤサービスに割り当てられた場合には、前記適切なＣＤサービスは、
（Ｅ）（１）前記リクエストを処理し、かつ
（Ｅ）（２）前記コンテンツについての更新済み情報を提供する段階
をさらに備える、請求項１５から２３のいずれか一項に記載のプログラム。